(57)【要約】【課題】ポケットに収納した工具がポケットの開口部から飛び出して落下してしまうことのない工具ホルダーを提供する。【解決手段】ベルト支持部２を設けた本体部１に、工具Ｔの把手部Ｔ１  を露出させてその工具Ｔを収納するようにしたポケット３を設け、このポケット３の開口部３ａに柔軟性を有する帯状部材５を設け、この帯状部材５の内面５ａに面接着ファスナー６ａを設けると共に、帯状部材５の外面５ｂに面接着ファスナー６ｂを設け、前記ポケット３の開口部３ａの上方位置の本体部１に面接着ファスナー６ｃを設けると共に、ポケット３の外面３ｂに面接着ファスナー６ｄを設け、前記面接着ファスナー６ａと面接着ファスナー６ｄ、面接着ファスナー６ｂと面接着ファスナー６ｃがそれぞれ着脱自在に接着するようにしている。【選択図】        図１
2005014142.tif 000002
【特許請求の範囲】
【請求項１】
ベルト支持部（２）を設けた本体部（１）に、工具（Ｔ）の把手部（Ｔ１  ）を露出させてその工具（Ｔ）を収納するようにしたポケット（３）を設け、このポケット（３）の開口部（３ａ）に柔軟性を有する帯状部材（５）を設け、この帯状部材（５）の内面（５ａ）に面接着ファスナー（６ａ）を設けると共に、帯状部材（５）の外面（５ｂ）に面接着ファスナー（６ｂ）を設け、前記ポケット（３）の開口部（３ａ）の上方位置の本体部（１）に面接着ファスナー（６ｃ）を設けると共に、ポケット（３）の外面（３ｂ）に面接着ファスナー（６ｄ）を設け、前記面接着ファスナー（６ａ）と面接着ファスナー（６ｄ）、面接着ファスナー（６ｂ）と面接着ファスナー（６ｃ）がそれぞれ着脱自在に接着するようにしたことを特徴とする工具ホルダー。
【請求項２】
本体部（１）を上部体（１ａ）と下部体（１ｂ）の別体として構成したものとし、上部体（１ａ）に前記ベルト支持部（２）を設け、下部体（１ｂ）に前記ポケット（３）を設け、これら上部体（１ａ）と下部体（１ｂ）を柔軟性を有する帯状部材（４）を介して連結したことを特徴とする請求項１記載の工具ホルダー。
【発明の詳細な説明】
【０００１】
【発明の属する技術分野】
この発明は、電気工事現場、建築工事現場などで腰に吊り下げて使用するのに適した工具ホルダーに関するものである。
【０００２】
【従来の技術】
従来、この種の工具ホルダーには、例えば図１５、１６に示したように、厚手の合成樹脂布地や皮革地などからなる長尺形状の本体１１の上端部１１ａを折り曲げて、この本体１１の裏面にリベット止めすることにより、ベルト支持部１２を形成し、さらに本体１１の表面の略下半部において、工具を収納するためのポケット１３を一重または二重に設けたものが存在する（非特許文献１参照）。
【０００３】
しかしながら、このような従来の工具ホルダーでは、電気工事現場、建築工事現場などにおいて、ベルト支持部１２を使用者が着用しているズボンのベルトなどに通して腰に吊り下げた場合、厚手の合成樹脂布地や皮革地などからなる長尺形状の本体１１は、使用者の身体の傾き具合によって若干は曲がるものの、ほとんど曲がらないので、例えば使用者が腰を屈めたりしたときなどには、ポケット１３に収納した工具（図示せず）の把手部が、使用者の身体に接触したり、接近した状態になることが度々ある。
【０００４】
このような状態で、そのポケット１３から工具を取り出そうとすると、工具の把手部が非常につかみ難く、工具を上手く取り出せないことがあり、また逆にポケット１３に工具を収納しようとすると、ポケット１３の開口部が使用者の身体に接近しているため、工具を上手く収納できないことがあり、電気工事や建築工事などの作業能率が悪くなったり、また工具の把手部が使用者の身体に接触すると、違和感があったり、痛みなどを感じたりして、電気工事や建築工事などの作業の妨げになったりするという課題を有していた。
【０００５】
そこで、本発明者は、このような課題を解決するための工具ホルダーについて、既に実用新案登録出願を行った。
【０００６】
この工具ホルダーは、図１７、１８に示したように、ベルト支持部２１を設けた上部体２２の下端部２２ａと、表面に工具の把手部を露出させてその工具を収納するようにしたポケット２３を設けた下部体２４の上端部２４ａを、柔軟性帯状部材２５を介して連結したものとしている（特許文献１参照）。
【０００７】
このように構成した工具ホルダーは、電気工事現場、建築工事現場などにおいて、下部体２４のポケット２３に工具を収納し、上部体２２のベルト支持部２１を、使用者が着用しているズボンのベルトなどに通して、腰に吊り下げる。
【０００８】
この腰に吊り下げた状態で、現場作業中に使用者が腰を屈めたりして、身体を傾けた場合、上部体２２と下部体２４を連結している柔軟性帯状部材２５が、下部体２４のポケット２３に収納された工具の荷重によって曲がり、下部体２４が重力方向、すなわち垂直方向になろうとする。この下部体２４が垂直方向になると、そのポケット２３に収納された工具の把手部は上に向くことになる。したがって、現場作業中に使用者が腰を屈めたりした状態で、工具を取り出そうとする場合に、工具の把手部をつかみ易くなり、工具を上手く取り出すことができる。また逆に、工具を収納しようとする場合にも、ポケット２３の開口部が上に向くので、工具を上手く収納することができる。
【０００９】
【非特許文献１】
２００３  総合カタログ  ｖｏｌ．５（電設工具・ネットワーク機材・電材機器・証明器具）、ジェフコム株式会社、平成１５年１月発行、第１２５頁
【特許文献１】
第３０９１６０１号登録実用新案公報（第２頁、図１〜図３）
【００１０】
【発明が解決しようとする課題】
しかしながら、図１５、１６に示したような従来の工具ホルダーでは、長尺形状の本体１１は、使用者の身体の傾き具合によって若干は曲がるものの、ほとんど曲がらないので、例えば現場作業中に使用者が腰を屈めたりして身体を傾けたときなどには、使用者の身体に沿って本体１１が傾き、ポケット１３の開口部が斜めや下方に向く場合があり、ポケット１３に収納した工具が落下してしまうことがあるという問題点を有していた。
【００１１】
また、図１７、１８に示したような従来の工具ホルダーでは、使用者が腰に吊り下げた状態で、現場作業中に使用者が腰を屈めたりして身体を傾けたときなどにも、下部体２４は重力方向、すなわち垂直方向になろうとするので、ポケット２３の開口部が上に向き、ポケット２３に収納した工具が落下し難いものの、使用者の身体に沿って下部体２４が傾くこともあり、この場合にはポケット２３の開口部が斜めや下方に向いて、ポケット２３に収納した工具が落下してしまうことがあるという問題点を有していた。
【００１２】
さらに、前記従来の工具ホルダーにおいて、ポケット１３、２３の開口部が上方に向いていたとしても、現場作業中や歩行時に腰に吊り下げていると、何らかの衝撃や振動を受けた場合に、工具がポケット１３、２３の開口部から飛び出して落下してしまうことがあるという問題点を有していた。
【００１３】
そこで、この発明は、上記従来の問題点を解決することをその課題としており、ポケットの開口部が斜めや下方に向いても、ポケットに収納した工具が落下することなく、さらにポケットの開口部を上方に向けた状態で、現場作業中や歩行時に腰に吊り下げていて、何らかの衝撃や振動を受けた場合にも、工具がポケットの開口部から飛び出して落下してしまうことのない工具ホルダーを提供することを目的としてなされたものである。
【００１４】
【課題を解決するための手段】
そのため、この発明の工具ホルダーは、ベルト支持部２を設けた本体部１に、工具Ｔの把手部Ｔ１  を露出させてその工具Ｔを収納するようにしたポケット３を設け、このポケット３の開口部３ａに柔軟性を有する帯状部材５を設け、この帯状部材５の内面５ａに面接着ファスナー６ａを設けると共に、帯状部材５の外面５ｂに面接着ファスナー６ｂを設け、前記ポケット３の開口部３ａの上方位置の本体部１に面接着ファスナー６ｃを設けると共に、ポケット３の外面３ｂに面接着ファスナー６ｄを設け、前記面接着ファスナー６ａと面接着ファスナー６ｄ、面接着ファスナー６ｂと面接着ファスナー６ｃがそれぞれ着脱自在に接着するようにしている。
【００１５】
そして、この発明の工具ホルダーは、本体部１を上部体１ａと下部体１ｂの別体として構成したものとし、上部体１ａに前記ベルト支持部２を設け、下部体１ｂに前記ポケット３を設け、これら上部体１ａと下部体１ｂを柔軟性を有する帯状部材４を介して連結したものとしている。
【００１６】
【発明の実施の形態】
以下、この発明の工具ホルダーの実施の形態について、図面に基づいて詳細に説明する。
【００１７】
図１〜１４はこの発明の工具ホルダーのそれぞれの実施の形態を示しており、図１〜４は第一実施形態、図５〜７は第二実施形態、図８〜１０は第三実施形態、図１１、１２は第四実施形態、図１３、１４は第五実施形態をそれぞれ示している。
【００１８】
この発明の工具ホルダーは、第一〜四実施形態のように、本体部１を上部体１ａと下部体１ｂの別体として構成したものとしてもよいが、第五実施形態のように、上部体１ａと下部体１ｂとは一体として構成したものとしてもよい。本体部１の上端部または上部体１ａは、折り曲げたりして、この本体部１の上端部または上部体１ａの表面または裏面にベルト支持部２を設けたものとしている。本体部１の略下半部または下部体１ａには、表面に工具Ｔの把手部Ｔ１  を露出させてその工具Ｔを収納するようにしたポケット３を設けたものとしている。そして、前記上部体１ａの下端部と、下部体１ｂの上端部を柔軟性を有する帯状部材４を介して連結したものとしている。さらに、ポケット３の開口部３ａには、柔軟性を有する帯状部材５を設け、この帯状部材５の内面５ａに面接着ファスナー６ａを設けると共に、帯状部材５の外面５ｂに面接着ファスナー６ｂを設けている。また、ポケット３の開口部３ａの上方位置の本体部１または上部体１ａに面接着ファスナー６ｃを設けると共に、ポケット３の外面３ｂに面接着ファスナー６ｄを設けている。そして、前記面接着ファスナー６ａは面接着ファスナー６ｄと、面接着ファスナー６ｂは面接着ファスナー６ｃと、それぞれ着脱自在に接着するようにしている。
【００１９】
前記本体部１を構成する上部体１ａと下部体１ｂ、およびベルト支持部２は、例えばナイロン、レーヨンなどの化学繊維からなる厚手の合成樹脂布地、天然や合成の厚手の皮革地などから構成されており、必要に応じて厚紙などの補強材を合成樹脂布地、皮革地に挟んだものとしてもよい。
【００２０】
前記ポケット３は、例えばナイロン、レーヨンなどの化学繊維からなる厚手または薄手の合成樹脂布地、天然や合成の厚手または薄手の皮革地などから構成されており、工具Ｔの把手部Ｔ１  を露出させてその工具Ｔを収納できるようにしておれば、ポケット底が有っても無くてもよく、またどのような形状であってもよい。そして、このポケット３を下部体１ｂの表面に設けるには、リベット止めや縫着すれば容易に行うことができ、その個数や設置構造は限定されることはない。例えば、図１〜４、図１３、１４に示したものでは、下部体１ｂの表面にポケット３を一重に設けたものとしている。また、図５〜７に示したものでは、下部体１ｂの表面にポケット３を設け、そのポケット３の上にさらに二個の補助のポケット３を並列させて設けたものとしている。さらに、図８〜１０に示したものは、下部体２の表面に二個のポケット３を並列させて設けたものとしており、図１１、１２に示したものは、下部体２の表面に二個のポケット３を並列させて設けたものとしている。
【００２１】
前記帯状部材４、５は、例えばナイロン、レーヨンなどの化学繊維からなる厚手または薄手の合成樹脂布地、天然や合成の厚手または薄手の皮革地などから構成されている。そして、帯状部材４は、下部体２のポケット３に収納される工具Ｔの荷重によって容易に曲がり得る程度の柔軟性を有したものとしている。さらに、帯状部材５は、使用者が指で摘んで容易に曲がり得る程度の柔軟性を有したものとしている。
【００２２】
前記面接着ファスナー６ａ、６ｂ、６ｃ、６ｄは、表面を多数のループ状体としたもの、表面を多数のフック状体としたものの何れを用いてもよい。しかし、面接着ファスナー６ａと６ｄ、面接着ファスナー６ｂと６ｃとが、それぞれ着脱自在に接着するようにしているため、面接着ファスナー６ａと６ｂをループ状体にした場合には、面接着ファスナー６ｃと６ｄをフック状体にする必要があり、面接着ファスナー６ａと６ｂをフック状体にした場合には、面接着ファスナー６ｃと６ｄをループ状体にする必要がある。また、面接着ファスナー６ａと６ｃをループ状体にした場合には、面接着ファスナー６ｂと６ｄをフック状体にする必要があり、面接着ファスナー６ａと６ｃをフック状体にした場合には、面接着ファスナー６ｂと６ｄをループ状体にする必要がある。図示した実施の形態では、面接着ファスナー６ａと６ｂをフック状体にし、面接着ファスナー６ｃと６ｄをループ状体にした。
【００２３】
前記工具Ｔは、プライヤー、ペンチなどの一対の把手部Ｔ１  の間に股部を有したものや、レンチ、スパナ、電動ドライバーなどのように把手部Ｔ１  が一つしかなく股部を有していないものなどに限定されることはない。
【００２４】
なお、この発明の工具ホルダーにおいて、ポケット３を複数個設けた場合には、前記帯状部材５や面接着ファスナー６ａ、６ｂ、６ｃ、６ｄの構造はすべてのポケット３に実施してもよいが、落下し易い工具Ｔを収納するポケット３などの何れかのポケット３に実施してもよい。
【００２５】
以上のように構成したこの発明の工具ホルダーは、電気工事現場、建築工事現場などにおいて、本体１のポケット３に工具Ｔを収納し、帯状部材５の内面の面接着ファスナー６ａをポケット３の外面３ｂの面接着ファスナー６ｄに接着させ、ベルト支持部２を使用者が着用しているズボンのベルトなどに通して、腰に吊り下げる。
【００２６】
このような状態では、本体１のポケット３に収納した工具Ｔは、その工具Ｔの把手部Ｔ１  の間の股部や、工具Ｔの把手部Ｔ１  の中間部、後端部などが帯状部材５によって止められるので、現場作業中に使用者が腰を屈めたりして身体を傾けたときなどに、使用者の身体に沿って本体１が傾き、ポケット３の開口部３ａが斜めや下方に向いても、ポケット３に収納した工具が落下してしまうことはなくなる。また、ポケット３の開口部３ａが上方に向いた状態で、現場作業中や歩行時に腰に吊り下げていて、何らかの衝撃や振動を受けた場合にも、工具がポケット３の開口部３ａから飛び出してしまうことはなくなる。
【００２７】
そして、この発明の工具ホルダーは、工具Ｔを使用する直前に、帯状部材５の内面の面接着ファスナー６ａをポケット３の外面３ｂの面接着ファスナー６ｄから外し、この帯状部材５の外面の面接着ファスナー６ｂをポケット３の開口部３ａの上方位置の本体部２の面接着ファスナー６ｃに接着させる。
【００２８】
このような状態では、前記帯状部材５が本体部２に沿った状態となっているので、帯状部材５がぶらぶらすることもなく、ポケット１３に収納した工具Ｔを使用者が手でポケット１３から抜き出したり、差し込んだりするの場合にも、前記帯状部材５が邪魔になるようなことはない。
【００２９】
【発明の効果】
この発明の工具ホルダーは、以上に述べたように構成されているので、ポケットの開口部が斜めや下方に向いても、ポケットに収納した工具が落下することなく、ポケットの開口部を上方に向けた状態で、現場作業中や歩行時に腰に吊り下げていて、何らかの衝撃や振動を受けた場合にも、工具がポケットの開口部から飛び出して落下してしまうことのないものとなる。しかも、ポケットに収納した工具をそのポケットから抜き差しする場合にも、邪魔になるものがなく、スムーズに抜き差しを行うことができるものとなる。
【図面の簡単な説明】
【図１】この発明の工具ホルダーの第一実施形態の斜視図であり、帯状部材の面接着ファスナーをポケットの面接着ファスナーに接着させた状態を示している。
【図２】この発明の工具ホルダーの第一実施形態の斜視図であり、帯状部材の面接着ファスナーを本体の面接着ファスナーに接着させた状態を示している。
【図３】図１に示すこの発明の工具ホルダーのポケットから工具を抜いた状態の縦断面図である。
【図４】図２に示すこの発明の工具ホルダーのポケットから工具を抜いた状態の縦断面図である。
【図５】この発明の工具ホルダーの第二実施形態の斜視図であり、帯状部材の面接着ファスナーをポケットの面接着ファスナーに接着させた状態を示している。
【図６】この発明の工具ホルダーの第二実施形態の斜視図であり、帯状部材の面接着ファスナーを本体の面接着ファスナーに接着させた状態を示している。
【図７】この発明の工具ホルダーの第二実施形態を裏面側から見た斜視図である。
【図８】この発明の工具ホルダーの第三実施形態の斜視図であり、帯状部材の面接着ファスナーをポケットの面接着ファスナーに接着させた状態を示している。
【図９】この発明の工具ホルダーの第三実施形態の斜視図であり、帯状部材の面接着ファスナーを本体の面接着ファスナーに接着させた状態を示している。
【図１０】この発明の工具ホルダーの第三実施形態を裏面側から見た斜視図である。
【図１１】この発明の工具ホルダーの第四実施形態の斜視図であり、帯状部材の面接着ファスナーをポケットの面接着ファスナーに接着させた状態を示している。
【図１２】この発明の工具ホルダーの第四実施形態の斜視図であり、帯状部材の面接着ファスナーを本体の面接着ファスナーに接着させた状態を示している。
【図１３】この発明の工具ホルダーの第五実施形態の斜視図であり、帯状部材の面接着ファスナーをポケットの面接着ファスナーに接着させた状態を示している。
【図１４】この発明の工具ホルダーの第五実施形態の斜視図であり、帯状部材の面接着ファスナーを本体の面接着ファスナーに接着させた状態を示している。
【図１５】従来の工具ホルダーの一例を表面側から見た斜視図である。
【図１６】従来の工具ホルダーの他の例を表面側から見た斜視図である。
【図１７】従来の工具ホルダーのさらに他の例を表面側から見た斜視図である。
【図１８】図１７に示す従来の工具ホルダーを裏面側から見た斜視図である。
【符号の説明】
１  本体部
１ａ  上部体
１ｂ  下部体
２  ベルト支持部
３  ポケット
３ａ  開口部
４  帯状部材
５  帯状部材
５ａ  内面
５ｂ  外面
６ａ  面接着ファスナー
６ｂ  面接着ファスナー
６ｃ  面接着ファスナー
６ｄ  面接着ファスナー
Ｔ  工具
Ｔ１  把手部
【図１】
2005014142.tif 000003
【図２】
2005014142.tif 000004
【図３】
2005014142.tif 000005
【図４】
2005014142.tif 000006
【図５】
2005014142.tif 000007
【図６】
2005014142.tif 000008
【図７】
2005014142.tif 000009
【図８】
2005014142.tif 000010
【図９】
2005014142.tif 000011
【図１０】
2005014142.tif 000012
【図１１】
2005014142.tif 000013
【図１２】
2005014142.tif 000014
【図１３】
2005014142.tif 000015
【図１４】
2005014142.tif 000016
【図１５】
2005014142.tif 000017
【図１６】
2005014142.tif 000018
【図１７】
2005014142.tif 000019
【図１８】
2005014142.tif 000020